(57)【特許請求の範囲】
【請求項１】
腰掛け部を有し、多数の遊技機が連続的に並べられて配置された遊技場においてそれぞれの遊技機に対応して遊技機の前に並べて設置される遊技場用椅子において、遊技機に対して左右方向正面であって遊技機から前後方向に所定距離だけ離れた位置たる定常位置と、遊技機に対して左右方向正面であって遊技機から定常位置よりも離れた位置たる着座予定位置とがあり、前記腰掛け部は、遊技機に向かって左右方向及び前後方向に移動可能であり、前記腰掛け部は、常時定常位置に向かって付勢されていて、無負荷状態の際には前記腰掛け部は定常位置にあり、前記腰掛け部が定常位置にある際には前記腰掛け部は左右の少なくともいずれかの方向と少なくとも遊技機から離れる方向に移動可能であり、前記腰掛け部が着座予定位置にあるときには左右方向の移動が規制されることを特徴とする遊技場用椅子。
【請求項２】
床面から直立する支持軸と、支持軸と係合する駒部材とを有し、前記駒部材は腰掛け部の下部に配置されており、腰掛け部が駒部材に対して左右方向及び遊技機に向かって前後方向に移動可能であることを特徴とする請求項１に記載の遊技場用椅子。
【請求項３】
駒部材に対して腰掛け部自体を左右方向にガイドする左右ガイド手段と、腰掛け部自体を遊技機に向かって前後方向にガイドする前後ガイド手段とを有することを特徴とする請求項２に記載の遊技場用椅子。
【請求項４】
腰掛け部と一体に設けられた係止部を有し、腰掛け部が着座予定位置にあるとき、前記係止部が前記駒部材と係合して駒部材と腰掛け部との左右方向の相対移動が阻止され、腰掛け部の左右方向の移動が規制されることを特徴とする請求項３に記載の遊技場用椅子。
【請求項５】
駒部材と係止部の少なくともいずれかに傾斜部が設けられ、係止部が前記駒部材と係合する際に係止部が前記傾斜部に沿って移動し、腰掛け部が着座予定位置に至る様にガイドされることを特徴とする請求項４に記載の遊技場用椅子。
【発明の詳細な説明】
【技術分野】
【０００１】
本発明は、遊技場用椅子に関するもので、特には前後左右に可動する遊技場用椅子に関する。
【背景技術】
【０００２】
遊技場では、１人でも多くの遊技者にパチンコ台やスロット台等の遊技機を楽しんでもらえるように、出来る限り多くの遊技機が隙間なく設置されている。即ち、複数の遊技機が連続的に列を成して並べられて、当該列が複数の島を形成している。また、遊技機同士の間には、パチンコ玉やメダルなどの遊技媒体を貸し出す貸出機が設置されており、遊技機同士の間隔は当該貸出機が有する幅程度の大きさしか確保されていない場合が少なくない。
【０００３】
ところで、遊技場には、各遊技機に向かい合うように１脚ずつの遊技場用の椅子（以下、単に椅子と略称することがある）が配置されている。また当該椅子は、床に固定されている。そして遊技機毎に配置された椅子同士の間隔も、遊技機同士の間隔と同様に、十分な幅が確保されていないため、遊技者が当該椅子に腰を掛ける際に座席に着きにくいと感じる場合があった。特に、遊技しようとする遊技機に配置された椅子の両隣にすでに遊技者が腰掛けている場合には、椅子同士の間隔がさらに狭く感じられ、当該間隔を通過して椅子に腰を掛ける際に、隣接する椅子に着席している遊技者に迷惑をかけてしまう問題があった。
即ち椅子に着席する際には、椅子の前（椅子と遊技機との間）に遊技者が回り込まなければならないが、腰掛けようとする椅子と隣の椅子との隙間が狭く、且つ隣に他人が座っている場合には、腰掛けようとする椅子と隣の椅子との間をすり抜けにくい。そのため他人に体が当たるという様な迷惑をかけてしまう。
【０００４】
そこで、特許文献１には、椅子に腰を掛ける前は遊技機の正面からずれた位置に待機し、遊技者が当該椅子に腰を掛けると、その荷重で遊技機の正面に腰掛け部がスライド移動する遊技場用椅子が開示されている。
【先行技術文献】
【特許文献】
【０００５】
【特許文献１】特開２００６−６８０８４号公報
【発明の開示】
【発明が解決しようとする課題】
【０００６】
しかしながら、特許文献１に記載の遊技場用椅子は、腰を掛けた遊技者に隣接した椅子が空席の場合、当該遊技者に圧迫感を抱かせる場合があった。即ち、特許文献１に記載の椅子は、付勢手段により常時右又は左方向に付勢されており、遊技者が着席していないときは遊技機に対して左側あるいは右側にずれた位置に配置されており、遊技者が腰を掛けると遊技機の真正面に移動する構成とされている。
【０００７】
従って、椅子に座席した状態の遊技者に隣接する椅子が空席の場合は、当該遊技者に対して空席の椅子が近くに寄っている（遊技機の正面に対してずれている）ため、圧迫感を感じることがあった。さらに、特許文献１に記載の遊技場用椅子は、前記したように、人が腰を掛けていない時には遊技機の正面に位置しないため、無意識に当該椅子に腰を掛けようとすると、座り損ねて背中側から転倒する危険があった。
【０００８】
また、特許文献１に記載の遊技場用椅子は、人が腰を掛けた状態で右又は左方向に移動するため、違和感を感じる場合がある。これは、普段の生活において、椅子に座りながら半自動的に右又は左方向に移動する状況を殆ど経験しないための心理的な戸惑いによるものであると考えられる。
【０００９】
また都市部のパチンコホール等では、より多くの客に遊技を楽しんでもらうために、島同士の間隔を狭く設計する傾向にある。即ち前記した様にパチンコホール等では、複数の遊技機が連続的に列を成して並べられて、当該列が複数の島を形成している。そして都市部のパチンコホール等では、遊技機（パチンコ台）の列の間隔を狭く設計する傾向にある。
一方、島同士の間は、客たる遊技者やホールの従業員が通行する通路として機能する場所である。そのため島同士の隙間が狭いと、客や従業員の通行が困難となってしまう。
【００１０】
そこで本発明は、詰めて設置しても着席の際に隣の遊技者に迷惑が掛からない遊技場用椅子を提供するものであり、遊技者に圧迫感や違和感を抱かせることがなく、さらに無意識に腰を掛けても座り損ねることがない椅子であって、客や従業員の通行スペースを少しでも広く確保することが可能な遊技場用椅子を提供することを課題とする。
【課題を解決するための手段】
【００１１】
上記した課題を解決するための請求項１に記載の発明は、腰掛け部を有し、多数の遊技機が連続的に並べられて配置された遊技場においてそれぞれの遊技機に対応して遊技機の前に並べて設置される遊技場用椅子において、遊技機に対して左右方向正面であって遊技機から前後方向に所定距離だけ離れた位置たる定常位置と、遊技機に対して左右方向正面であって遊技機から定常位置よりも離れた位置たる着座予定位置とがあり、前記腰掛け部は、遊技機に向かって左右方向及び前後方向に移動可能であり、前記腰掛け部は、常時定常位置に向かって付勢されていて、無負荷状態の際には前記腰掛け部は定常位置にあり、前記腰掛け部が定常位置にある際には前記腰掛け部は左右の少なくともいずれかの方向と少なくとも遊技機から離れる方向に移動可能であり、前記腰掛け部が着座予定位置にあるときには左右方向の移動が規制されることを特徴とする遊技場用椅子である。
【００１２】
ここで本明細書において左右方向とは、遊技機に向かって左右方向を言う。例えばパチンコホールの様に、遊技機が一列に並べられている場合には、左右方向とは、列に対して平行な方向を示す。
また本明細書において前後方向とは、遊技機に対して近接及び離反する方向を言う。即ち遊技機に対して近づく方向が前方向であり、遊技機から離れて行く方向が後方向である。
本発明の遊技場用椅子は、腰掛け部が左又は右方向の少なくとも一方に移動可能であるため、遊技者が着席する際、左右のいずれかに腰掛け部をずらすことで容易に座席間のスペースが拡がる。そのため腰掛けようとする椅子と隣の椅子との間が広がり、椅子と椅子との間をすり抜けやすい。従って使用者は容易に椅子の前に回り込むことができる。
そのため本発明の椅子は、体格の大きな人でも座りづらく感じることはない。また、腰掛け部は、常時定常位置に向かって付勢されていて、無負荷状態の際には前記腰掛け部は定常位置にある。そして定常位置は、遊技機に対して左右方向正面であるから、遊技者が座席と遊技機との間（着席可能位置）に入り、外力を解放した状態では、当該腰掛け部は遊技機の真正面に位置する。即ち、遊技者は、腰掛け部を左右に移動させて、着席可能位置に移動し、遊技機の真正面で無意識に腰を掛けても、腰掛け部は遊技機の真正面に必ず戻るため、腰掛け部に座り損ねることがない。
そして椅子が定常位置にある場合は、少なくとも遊技機から離れる方向に腰掛け部を移動させることが可能であるから、遊技者は椅子を後退させて遊技機との間に適度の距離を確保することができる。そのため遊技者は、窮屈を感じることなく、ゆったりと遊技を楽しむことができる。
また、本発明の遊技場用椅子は、腰掛け部が、常時定常位置に向かって付勢されているため、空席状態の椅子は常時対応する遊技機の正面にある。そのため隣接する椅子に座った遊技者が空席の椅子から圧迫感を受けることがない。
さらに本発明の遊技場用椅子は、空席状態の際には腰掛け部が前記した定常位置にあり、当該定常位置は着座予定位置よりも遊技機に近い位置であるから、空席状態の際には隣接する島の対向する位置にある椅子との間隔が広がる。そのため客や従業員の通行スペースを多少広く確保することができる。
また、本発明の椅子では、腰掛け部が着座予定位置にあるときには左右方向の移動が規制される。そのため遊技者は、違和感無く座っていることができる。従って遊技者は腰を据えて、安定した状態で遊技を行うことができる。また遊技中、遊技者が興奮して体を揺すっても、腰掛け部が左右に動くことがないから、左右に座る遊技者に迷惑が掛からない。
【００１３】
請求項２に記載の発明は、床面から直立する支持軸と、支持軸と係合する駒部材とを有し、前記駒部材は腰掛け部の下部に配置されており、腰掛け部が駒部材に対して左右方向及び遊技機に向かって前後方向に移動可能であることを特徴とする請求項１に記載の遊技場用椅子である。
【００１４】
本発明の遊技場用椅子では、駒部材が支持軸と係合して腰掛け部を支えている。そして腰掛け部が駒部材に対して左右方向及び遊技機に向かって前後方向に移動可能である。
【００１５】
請求項３に記載の発明は、駒部材に対して腰掛け部自体を左右方向にガイドする左右ガイド手段と、腰掛け部自体を遊技機に向かって前後方向にガイドする前後ガイド手段とを有することを特徴とする請求項２に記載の遊技場用椅子である。
【００１６】
本発明によると、左右ガイド手段と、前後ガイド手段によって腰掛け部が移動する。
【００１７】
請求項４に記載の発明は、腰掛け部と一体に設けられた係止部を有し、腰掛け部が着座予定位置にあるとき、前記係止部が前記駒部材と係合して駒部材と腰掛け部との左右方向の相対移動が阻止され、腰掛け部の左右方向の移動が規制されることを特徴とする請求項３に記載の遊技場用椅子である。
【００１８】
本発明の遊技場用椅子では、係止部が駒部材と係合することによって腰掛け部の左右方向の移動が規制される。
【００１９】
請求項５に記載の発明は、駒部材と係止部の少なくともいずれかに傾斜部が設けられ、係止部が前記駒部材と係合する際に係止部が前記傾斜部に沿って移動し、腰掛け部が着座予定位置に至る様にガイドされることを特徴とする請求項４に記載の遊技場用椅子である。
【００２０】
本発明の遊技場用椅子では、腰掛け部を遊技具から離れる方向に移動させる際に、係止部が前記傾斜部に沿って移動し、腰掛け部が着座予定位置に至る様にガイドされる。そのため腰掛け部の左右方向の位置が多少中心を外れた状態で、腰掛け部を遊技機から離れる方向に移動させても、腰掛け部は左右方向中心たる着座予定位置に納まる。
【発明の効果】
【００２１】
本発明の遊技場用椅子は、比較的狭い間隔で並べて設置しても、着席する際に前に回り込むことが容易であり、他の遊技者に迷惑をかけることが少ないという効果がある。また本発明の遊技場用椅子は、遊技者に違和感を抱かせることがなく、安心して遊技を行うことができる。さらに本発明の遊技場用椅子は、無意識に腰を掛けても座り損ねることがない。また本発明の遊技場用椅子は、着席した遊技者の隣接する席が空席であっても、空席の椅子は常に遊技機の真正面に位置しているため、当該遊技者は空席の椅子による圧迫感を抱くことがない。
【図面の簡単な説明】
【００２２】
【図１】本発明の第１実施形態に係る遊技場用椅子を示す斜視図である。
【図２】図１のＡ−Ａ断面図である。
【図３】図２のＢ−Ｂ断面図である。
【図４】図１の遊技場用椅子を腰掛け部と機構部と軸部とに分けて表示した分解斜視図である。
【図５】図４の機構部の左右移動部を示す斜視図である。
【図６】図４の機構部の左右移動部の分解斜視図である。
【図７】図６からバネの図示を省略した機構部の左右移動部の分解斜視図である。
【図８】図４の機構部の前後移動部の斜視図である。
【図９】図４の機構部の前後移動部の天井板部を除いた状態と、左右移動部の一部との斜視図である。
【図１０】図４の機構部の前後移動部の断面図である。
【図１１】図４の機構部の前後移動部の分解斜視図である。
【図１２】図１１の状態から更に分解した状態を示す図３の機構部の前後移動部の分解斜視図である。
【図１３】図４の機構部をスケルトンで表示した機構図である。
【図１４】図１の椅子が複数のパチンコ台の前に列状に並べられた状態の平面図であり、中央の椅子だけが空席で他の椅子に遊技者が着席している状態を示す。
【図１５】図１４の状態におけるパチンコ台と椅子との正面図である。
【図１６】図１の椅子が複数のパチンコ台の前に列状に並べられた状態の平面図であり、中央の椅子だけが空席であって新たな遊技者が中央の椅子に着席しようとする際の状態を示す。
【図１７】図１６の状態におけるパチンコ台と椅子との正面図である。
【図１８】図１の椅子が複数のパチンコ台の前に列状に並べられた状態の平面図であり、中央の椅子とパチンコ台との間に新たな遊技者が回り込んだ際の状態を示す。
【図１９】図１８に次ぐ状態を示す椅子が複数のパチンコ台の前に列状に並べられた状態の平面図であり、中央の椅子に新たな遊技者が着席した際の状態を示す。
【発明を実施するための形態】
【００２３】
以下、本発明の具体的実施形態について説明する。
本発明の第１実施形態に係る遊技場用椅子１は、図１、図１４〜図１９に示す様に、パチンコ台２に対向して設置されるもので、パチンコ台２に１脚ずつ配されている。即ち、遊技場用椅子１は、所望のパチンコ台２で遊ぶ際に腰掛けるものである。
【００２４】
本実施形態の遊技場用椅子１は、図１に示す様に、腰掛け部３と、背もたれ部６と、腰掛け部３を支持する支持軸７とを有している。また腰掛け部３の内側下部には、図２、図３に示すような機構部８が内蔵されている。
【００２５】
腰掛け部３は、平面視した形状が略正方形の筐体の角を面取りした形状で、図２に示す様に、遊技者が着席した際に当該遊技者の尻部（図示しない）が当接するカバー部材１０と、当該カバー部材１０の内面側に設けられたクッション部材１１と、当該クッション部材１１よりさらに内部に備えられたベース部材１２によって構成されている。
ベース部材１２は樹脂の射出成形によって作られたものである。ベース部材１２は四角形の盆を伏せた様な形状をしており、四角形の天面壁１５と、前側周壁１６と、後側周壁１７と、左右周壁１８，１９を有している。なお前側周壁１６は、遊技場用椅子１がパチンコホールに設置された際にパチンコ台２に面する周壁であり、後側周壁１７は、前記前側周壁１６と対向する面を構成する周壁である。また左右周壁１８，１９は、前側周壁１６と後側周壁１７との間を繋ぐ周壁であり、遊技場用椅子１がパチンコホールに設置された際には、図２の様にパチンコ台２に対して前後方向に延びる。
本実施形態では、図２の様に、番号１８が、パチンコ台２に向かって右側に位置する右周壁であり、番号１９が、パチンコ台２に向かって左側に位置する左周壁である。
【００２６】
支持軸７は、金属の軸であり、パチンコホールの床面に垂直姿勢に固定される。
【００２７】
機構部８は、大きく分けて、左右移動部２０と前後移動部２１とが結合されたものであり、前後移動部２１の内部に図２，４，６，９，１０，１１に示すように駒部材２２が内蔵されている。駒部材２２は、後記する様に支持軸７と係合する部材である。
機構部８は、駒部材２２に対して腰掛け部３を前後及び左右に相対移動させるものである。
【００２８】
即ち左右移動部２０は、図５，６，７に示すように、二枚の外壁２６，２７を有している。外壁２６，２７は図示しない天井壁によって連結されている。二枚の外壁２６，２７は、左右方向に距離をおいて設置され、いずれも垂直方向に立設している。
【００２９】
そして当該外壁２６，２７の間に２本の左右ガイド軸（左右ガイド手段）３０，３１が挿通されている。二枚の外壁２６，２７によって囲まれる空間を上部側から観察すると略長方形である。そして当該左右ガイド軸３０，３１に前後移動部２１のケース部材２３が係合している。
即ち左右移動部２０は、右側外壁２６と左側外壁２６とを有し、二枚の外壁２６，２７は、金属製の板であり、図２の様に、前記した腰掛け部３の、ベース部材１２の内面に一体的に固定されている。
即ち左右移動部２０の右側外壁２６は、ベース部材１２の右周壁１８の内面に一体的に固定されている。
同様に左右移動部２０の左側外壁２７は、ベース部材１２の左周壁１９の内面に一体的に固定されている。
左右ガイド軸３０，３１は、左右外壁２６，２７を繋ぐものであり、左右外壁２６，２７の下部同士の間にある。また左右ガイド軸３０，３１は、前後方向に距離をおいて配置されている。
図５の様に、パチンコ台２側の位置に一方の左右ガイド軸３０が設けられ、パチンコ台２から離れた側に他方の左右ガイド軸３１が設けられている。
そして二つの左右ガイド軸３０，３１にスリーブ６０を介して前後移動部２１のケース部材２３が係合している。そのため前後移動部２１は、左右ガイド軸３０，３１に沿って左右方向に移動することができる。
【００３０】
また前後移動部２１のケース部材２３の天面壁３３と、左右外壁２６，２７との間には、４本のバネ３５ａ，３５ｂ，３６ａ，３６ｂが掛け渡されている。
即ち左側外壁２７と前後移動部２１のケース部材２３との間には、バネ３５ａ，３５ｂが掛け渡されている。また右側外壁２６と前後移動部２１のケース部材２３との間には、バネ３６ａ，３６ｂが掛け渡されている。
そしてバネ３５ａ，３５ｂ，３６ａ，３６ｂのバランスによって、前後移動部２１のケース部材２３は、常時左右外壁２６，２７の中央に位置する様に付勢されている。
【００３１】
また左右移動部２０の外壁２６，２７には、図７の様に係合片４０が突出して設けられている。係合片４０は、樹脂等によって作られたものであり、外壁２６，２７の前側（パチンコ台２側）に設けられており、外壁２６，２７から外壁２６，２７の内側に向かって突出している。
係合片４０は、四角柱状の部材であり、先端部に傾斜面４１を有している。そして二つの係合片４０の傾斜面４１によって、一つのテーパー形状部４３を形成している。当該テーパー形状部４３は、図３の様に、パチンコ台２側に向かって間隔が狭くなる形状である。
【００３２】
次に前後移動部２１について説明する。前後移動部２１は、前記した様にケース部材２３を有し、当該ケース部材２３内に図１１、図１２の様に、駒部材２２と、押さえ棒４５，４６と、２本のバネ４７が内蔵されたものである。
【００３３】
ケース部材２３は、金属で作られたものであり、天面壁３３、右壁部５０、左壁部５１、前壁部５２、後壁部５３を有している。
ケース部材２３は、平面視が略長方形をしている。
ケース部材２３の右壁部５０は、左右移動部２０の右側外壁２６に面している。同様にース部材２１の左壁部５１は、左右移動部２０の左側外壁２７に面している。
前壁部５２と後壁部５３は、前記した右壁部５０及び左壁部５１よりも高さの低い壁であり、前壁部５２は、パチンコ台２に面した側にあり、後壁部５３は前壁部５２に対向する面を構成している。
【００３４】
右壁部５０と左壁部５１の間には、筒状部材５５，５６が挿通されている。筒状部材５５，５６は、高さ方向には下端よりの位置にあり、前後方向には間隔を開けて設けられている。筒状部材５５，５６の中には、スリーブ６０が内蔵され、さらに前記した左右ガイド軸３０，３１が挿通されている。
【００３５】
右壁部５０と左壁部５１には、それぞれ開口部５４が設けられている。開口部５４は、高さ方向には上端寄りの位置にあり、前後方向には前側（パチンコ台２側）の位置に設けられている。
【００３６】
ケース部材２３の前壁部５２と後壁部５３との間には、押さえ棒４５，４６が挿通されている。押さえ棒４５，４６は、右壁部５０又は左壁部５１の近傍にあって、右壁部５０と左壁部５１に対して平行に延びている。
【００３７】
駒部材２２は、樹脂で作られたブロック状の部材である。即ち駒部材２２は、図３、図１０、図１１に示すように、略長方形の本体部６１と、上端部に設けられたガイドフランジ部６２と、前端部に設けられた突入部６３を有する部材である。
駒部材２２の本体部６１は、前記した様に略直方体であり、下部に穴６５が設けられている。当該穴６５は、支持軸７の先端を係合するために設けられている。
【００３８】
駒部材２２の突入部６３は、本体部６１とは別の部材として作られ、後加工によって本体部６１に固定されたものである。駒部材２２の突入部６３は、本体部６１の前端部（パチンコ台２側）に設けられており、平面形状が等角台形に似た形状をしている。即ち突入部６３は、二つの傾斜面を持ち、先端側に行くほど幅が狭くなっている。
【００３９】
ガイドフランジ部６２は、本体部６１の上端側であって、左右の長辺部に設けられている。ガイドフランジ部６２の幅ｗは、前記したケース部材２３の右壁部５０と左壁部５１間の距離Ｗよりも僅かに小さい。
またガイドフランジ部６２には、スリーブ７０が装着されている。スリーブ７０は、固体潤滑性に優れた樹脂で作られている。スリーブ７０は、断面形状が略「コ」の字状てあり、ガイドフランジ部６２の上面と、側面と下面を覆う。
【００４０】
駒部材２２は、ケース部材２３の中にあり、駒部材２２のガイドフランジ部６２は、ケース部材２３の天面壁３３とケース部材２３に挿通された押さえ棒４５，４６の間に配置されている。またスリーブ７０が、ケース部材２３の天面壁３３と左右の壁部５０，５１と接している。
そのため駒部材２２は、ケース部材２３の左右の壁部５０，５１に沿って前後方向に相対移動することができる。駒部材２２を中心として考えると、ケース部材２３が駒部材２２に対して前後方向に移動する。
駒部材２２と後壁部５３との間には、２本のバネ４７が掛け渡されており、当該バネ４７によって駒部材２２は常時後壁部５３側に付勢されている。
【００４１】
次に本実施形態の遊技場用椅子１の機能について説明する。
図１３は、遊技場用椅子１の機構部８をスケルトンで表示した機構図である。
機構部８は、前記した様に、右側外壁２６と左側外壁２７を有し、当該右側外壁２６と左側外壁２７の間に左右ガイド軸３０，３１が挿通されている。そして左右ガイド軸３０，３１に沿って前後移動部２１のケース部材２３が左右に移動することができる。
ケース部材２３を中心として考えると、機構部８の右側外壁２６と左側外壁２７は、前後移動部２１に対して左右に移動することができる。
この様に本実施形態では、左右ガイド軸３０，３１が左右ガイド手段として機能する。
ただし前後移動部２１のケース部材２３と右側外壁２６及び左側外壁２７の間には４本のバネがあり、当該バネによって前後移動部２１が右側外壁２６と左側外壁２７の中心に来る様に付勢されている。
【００４２】
一方、前後移動部２１の中には駒部材２２が内蔵されており、駒部材２２とケース部材２３は相対移動することができる。即ちケース部材２３の駒部材２２は、ケース部材２３の左右の壁部５０，５１に沿って前後方向に相対移動することができる。
駒部材２２を中心に考えると、前後移動部２１は、駒部材２２に対して前後方向に移動することができる。
なお本実施形態では、ケース部材２３の左右の壁部５０，５１が前後ガイド手段として機能している。
また駒部材２２と後壁部５３との間には、２本のバネ４７が掛け渡されており、当該バネ４７によって後壁部５３が駒部材２２に近づく様に付勢されている。
【００４３】
従って駒部材２２と腰掛け部３との関係を駒部材２２を中心として考えると、腰掛け部３は駒部材２２に対して左右方向と前後方向に自由度を持っている。
しかしながら前後移動部２１のケース部材２３と右側外壁２６及び左側外壁２７の間に設けられた４本のバネの作用によって、腰掛け部３の左右方向の中心軸が、駒部材２２の左右方向の中心軸と一致する様に付勢されている。
【００４４】
また前後移動部２１内に設けられた２本のバネ４７の作用によって、腰掛け部３が前側（パチンコ台２側）に付勢されている。
一方、バネ４７に抗して腰掛け部３を後方に移動させることができるが、腰掛け部３を後方に移動させ、ケース部材２３が後方に移動すると、駒部材２２の突入部６３が二つの係合片４０の傾斜面４１によって形成されたテーパー形状部４３と係合する。そのため腰掛け部３を後方に移動させると、腰掛け部３の左右方向の移動が規制される。
【００４５】
次に、本実施形態の椅子１の作用を実際の遊技者の動作に則して説明する。なお本実施形態の遊技場用椅子は、パチンコホール等における遊技者の挙動を観察して開発されたものであり、遊技者は無理なく着席し、そして遊技を行うことができる。
【００４６】
本実施形態の椅子１は、図１４〜図１９に示す様に、パチンコ台２に対向して設置されるもので、パチンコ台２に１脚ずつ配される。即ち支持軸７が図１５の様にパチンコ台２の正面の床に固定される。支持軸７の左右方向の中心軸は、パチンコ台２の中心軸と一致する。
一方、支持軸７の前後方向の位置は、パチンコ台２と、腰掛け部３の距離を勘案して決定される。
即ち本実施形態では、腰掛け部３は、パチンコ台２に対して前後方向に移動することができる。そして本実施形態では、腰掛け部３がパチンコ台２から最も離れた状態となる位置を着座予定位置と決め、この位置に遊技者が座ることを前提として支持軸７の前後方向の位置を決定する。
【００４７】
本実施形態では、前後移動部２１内に設けられた２本のバネ４７の作用によって、腰掛け部３が前側（パチンコ台２側）に付勢されているから、腰掛け部３は、適正な着座位置よりも前側で安定する。なお本実施形態では、この位置を定常位置と称する。即ち腰掛け部３は、パチンコ台２に向かって前後方向に移動可能であるが、腰掛け部３は、常時定常位置に向かって付勢されている。
【００４８】
また腰掛け部３は、左右方向に移動可能であるが、ケース部材２３と右側外壁２６及び左側外壁２７の間に設けられた４本のバネの作用によって、腰掛け部３の左右方向の中心軸が、パチンコ台２の中心軸と一致する様に付勢されている。
【００４９】
図１４は、椅子１がＡ，Ｂ，Ｃの３脚設置された様子を示しており、中央の椅子Ｂだけが空席となっている状態を示している。なお、椅子の前に図示された円形の図形は、遊技者の足の位置を示している。
【００５０】
図１４の前提条件として、中央の椅子Ｂは空席であるから、椅子Ｂに対しては何の負荷も掛かっておらず、椅子の腰掛け部３は、図１４の様に定常位置にある。即ち椅子Ｂは、前方に寄った位置にあり、パチンコ台２に近い位置にある。
そのため椅子の後方には、広い空間があり、通路が広がっている。
また椅子Ｂは左右方向に関して中央にある。そのため椅子Ｂが、他の遊技者の迷惑となることはない。
【００５１】
他の椅子Ａ，Ｃの腰掛け部３は、遊技者が着座しており、定常位置よりも後方にある。また他の椅子Ａ，Ｃは、左右方向に関して中央にある。
【００５２】
この状態において、椅子Ｂに着座することを欲する遊技者は、図１６の様に、椅子Ｃの横からパチンコ台２側に回り込もうとする。この時、図１６の様に足の一部（例えばふくらはぎ）が、腰掛け部３に当たり、腰掛け部３を左右方向に押す。ここで、腰掛け部３は、左右方向に自由度を持つから、図１６、図１７の様に腰掛け部３は左側に逃げ、隣接する椅子Ｃとの間が広がる。
【００５３】
続いて図１８の様に、遊技者は、腰掛け部３とパチンコ台２との間に回り込む。
この状態では、ふくらはぎ等による、横方向の押圧はないから、４本のバネの作用によって、腰掛け部３が左右方向の中央に戻る。
そのため遊技者の尻の下には、腰掛け部３があり、遊技者が腰を下ろしても尻餅をつく懸念はない。
【００５４】
ここで前記した定常位置は、パチンコ台２側に寄った位置であり、遊技者は足元が狭いと感じるから、腰掛け部３を後方にずらそうとする。ここで、本実施形態の椅子１では、腰掛け部３が前後方向に自由度を持つから、腰掛け部３は、後方にずれる。
そして腰掛け部３が後方にずれると、図１９の様に、駒部材２２の突入部６３が二つの係合片４０の傾斜面４１によって形成されたテーパー形状部４３と係合する。そのため腰掛け部３を着座予定位置に移動させると、腰掛け部３の左右方向の移動が規制される。
そのため遊技者は、安定した姿勢で遊技を行うことができる。また遊技者が多少体を揺すっても腰掛け部３は左右には動かないから、隣の遊技者に迷惑をかけることがない。
【００５５】
この様に本実施形態の椅子１は、着座する際に腰掛け部３を左右に移動させることができるから、着座の際に左右の人に迷惑をかけない。また正規の位置で着座した後は、腰掛け部３が左右に動かない状態となるから、安定した姿勢で遊技を行うことができる。
【符号の説明】
【００５６】
１    遊技場用椅子
２    パチンコ台
３    腰掛け部
６    背もたれ部
７    支持軸
８    機構部
２０  左右移動部
２１  前後移動部
２２  駒部材
２３  ケース部材（前後ガイド手段）
３０，３１  左右ガイド軸（左右ガイド手段）
３５ａ，３５ｂ  バネ
３６ａ，３６ｂ  バネ
４０  係合片
４１  傾斜面
４５，４６  押さえ棒
４７  バネ
【図１】
0005427109.tif 000002
【図２】
0005427109.tif 000003
【図３】
0005427109.tif 000004
【図４】
0005427109.tif 000005
【図５】
0005427109.tif 000006
【図６】
0005427109.tif 000007
【図７】
0005427109.tif 000008
【図８】
0005427109.tif 000009
【図９】
0005427109.tif 000010
【図１０】
0005427109.tif 000011
【図１１】
0005427109.tif 000012
【図１２】
0005427109.tif 000013
【図１３】
0005427109.tif 000014
【図１４】
0005427109.tif 000015
【図１５】
0005427109.tif 000016
【図１６】
0005427109.tif 000017
【図１７】
0005427109.tif 000018
【図１８】
0005427109.tif 000019
【図１９】
0005427109.tif 000020